(57)【要約】      （修正有）【課題】印刷物が放置されているシート収納部を簡単に判別できる仕組みを有する印刷装置を提供する。【解決手段】画像が印刷されたシートを収納する複数のシート収納部のそれぞれに対応した操作キーであって、各シート収納部に収納されたシートの取り出し指示を受け付けるための複数の操作キーを表示するとともに、複数のシート収納部のうちシートが収納された状態で所定時間が経過したシート収納部に対応する操作キーにかかる表示の形態を、シートが収納された状態で所定時間が経過していないシート収納部と区別可能な形態に変更する。【選択図】図９
2015229335.tif 000002
【特許請求の範囲】
【請求項１】
シートに画像を印刷する印刷手段と、
前記印刷手段によって画像が印刷されたシートを収納する複数の収納手段と、
前記複数の収納手段のそれぞれに対応した操作キーであって、各収納手段に収納されたシートの取り出し指示を受け付けるための複数の操作キーを表示する表示手段と、
前記複数の操作キーのいずれかが操作されたことに基づき、当該操作された操作キーに対応する収納手段に収納されたシートを取り出し可能な位置に搬送する搬送手段と、
前記複数の収納手段のうちシートが収納された状態で所定時間が経過した収納手段に対応する操作キーにかかる表示の形態を、シートが収納された状態で前記所定時間が経過していない収納手段と区別可能な形態に変更する変更手段と、
を備えることを特徴とする印刷装置。
【請求項２】
前記収納手段に収納されたシートの一部のみが装置外に露出した状態で当該シートを保持する保持手段を更に備え、
前記搬送手段は、前記複数の操作キーのいずれかが操作されたことに応じて、当該操作された操作キーに対応する収納手段に収納されたシートを、前記保持手段によって保持される位置まで搬送することを特徴とする請求項１に記載の印刷装置。
【請求項３】
前記変更手段は、前記複数の操作キーのそれぞれに対応付けられた表示オブジェクトの色を変更することを特徴とする請求項１または２に記載の印刷装置。
【請求項４】
前記表示オブジェクトには、シートが収納されてからの経過時間を示す情報が含まれることを特徴とする請求項１乃至３のいずれか１項に記載の印刷装置。
【請求項５】
前記表示手段は、シートが収納されている収納手段に対応する前記操作キーを表示し、シートが収納されていない収納手段に対応する前記操作キーは表示しないことを特徴とする請求項１乃至４のいずれか１項に記載の印刷装置。
【請求項６】
前記変更手段によって操作キーの表示の形態が変更された後、当該操作キーに対応する収納手段に新たなシートが収納されたことに基づき、前記変更手段は、当該操作キーの表示の形態を元の形態に戻すことを特徴とする請求項１乃至５のいずれか１項に記載の印刷装置。
【請求項７】
印刷ジョブを受信した場合に、当該印刷ジョブに対応するユーザと同一のユーザによって使用されている収納手段があるか否かを判定する判定手段を更に備え、
前記判定手段によって、前記受信した印刷ジョブに対応するユーザと同一のユーザによって使用されている収納手段があると判定された場合は、前記受信した印刷ジョブに基づく画像が印刷されたシートを前記新たなシートとして収納させる制御手段を更に備えることを特徴とする請求項６に記載の印刷装置。
【請求項８】
前記操作キーが操作された場合に、ユーザを認証する認証手段を更に備え、
前記搬送手段は、前記認証手段によるユーザの認証が成功した場合にシートを搬送することを特徴とする請求項１乃至７のいずれか１項に記載の印刷装置。
【請求項９】
シートに画像を印刷する印刷手段と、前記印刷手段によって画像が印刷されたシートを収納する複数の収納手段と、を備える印刷装置の制御方法であって、
前記複数の収納手段のそれぞれに対応した操作キーであって、各収納手段に収納されたシートの取り出し指示を受け付けるための複数の操作キーを表示する表示工程と、
前記複数の操作キーのいずれかが操作されたことに応じて、当該操作された操作キーに対応する収納手段に収納されたシートを取り出し可能な位置に搬送する搬送工程と、
前記複数の収納手段のうちシートが収納された状態で所定時間が経過した収納手段に対応する操作キーにかかる表示の形態を、シートが収納された状態で前記所定時間が経過していない収納手段と区別可能な形態に変更する変更工程と、
を備えることを特徴とする印刷装置の制御方法。
【請求項１０】
コンピュータを請求項１乃至８のいずれか１項に記載の印刷装置の各手段として機能させるためのプログラム。
【発明の詳細な説明】
【技術分野】
【０００１】
本発明は、シートに画像を印刷する印刷装置、印刷方法、及びプログラムに関する。
【背景技術】
【０００２】
従来、シートに画像を印刷する印刷装置は、画像が印刷されたシート（印刷物）を印刷後に装置外に排出していた。また、近年では、印刷後すぐに装置外に印刷物を排出するのではなく、一時的に装置内に溜め置く仕組みが提案されている。
【０００３】
特許文献１に記載の印刷装置には、装置内に複数のシート収納部が備えられており、印刷物はいずれか１つのシート収納部に一旦収納される。そして、この印刷装置にはユーザを認証する機能が備えられており、複数のシート収納部に収納された印刷物のうち認証されたユーザに対応するものが部分的に装置外に露出するように搬送される。ユーザは、部分的に露出した印刷物を引き抜くことにより、自分の印刷物を受け取ることができる。
【０００４】
このような構成によって、印刷物を他人に見られてしまい機密情報が漏洩することを防止しつつ、ユーザが印刷装置の設置場所に到着するよりも前に印刷を開始することで作業効率を向上させることが可能となっている。
【０００５】
また、特許文献２には、シート収納部に収納されている印刷物に対応する利用者名の一覧を表示する構成を有する印刷装置が開示されている。特許文献２に記載の印刷装置は、ユーザによって利用者名が選択された場合に、選択された利用者名に対応する印刷物が収納されているシート収納部の機構を駆動させることにより、印刷物を取り出し可能な状態にする。
【先行技術文献】
【特許文献】
【０００６】
【特許文献１】特開２０１３−２２０９０５号公報
【特許文献２】特開２００３−１９１５７８号公報
【特許文献３】特開２００８−１７３８０１号公報
【発明の概要】
【発明が解決しようとする課題】
【０００７】
特許文献１または２の構成において、シート収納部に印刷物が収納された状態で放置される（印刷物が取り出されないまま長時間が経過する）と、一部のユーザによってシート収納部が占有され、他のユーザによるシート収納部の使用ができなくなってしまう。
【０００８】
一方、特許文献３には、印刷物を排紙した後、所定時間が経過しても放置されたままになっている場合に、印刷物の所有者であるユーザに電子メールで通知することが開示されている。しかしながら、特許文献３に示された上記の構成を特許文献１または２に示された印刷装置に適用しただけでは、複数備えられたシート収納部のうちどのシート収納部が長時間占有されているかを判別することは容易ではない。特に、印刷物を放置しているユーザ以外のユーザが印刷装置を操作する際に、印刷物が放置されているシート収納部が存在すること、或いは、印刷物が放置されているのがどのシート収納部かを判別するのは困難である。
【０００９】
本発明は、上記の課題に鑑みなされたものであり、印刷物が放置されているシート収納部を簡単に判別できる仕組みを提供することを目的とする。
【課題を解決するための手段】
【００１０】
上記の目的を達成するために本発明の印刷装置は、シートに画像を印刷する印刷手段と、前記印刷手段によって画像が印刷されたシートを収納する複数の収納手段と、前記複数の収納手段のそれぞれに対応した操作キーであって、各収納手段に収納されたシートの取り出し指示を受け付けるための複数の操作キーを表示する表示手段と、前記複数の操作キーのいずれかが操作されたことに応じて、当該操作された操作キーに対応する収納手段に収納されたシートを取り出し可能な位置に搬送する搬送手段と、前記複数の収納手段のうちシートが収納された状態で所定時間が経過した収納手段に対応する操作キーにかかる表示の形態を、シートが収納された状態で前記所定時間が経過していない収納手段と区別可能な形態に変更する変更手段と、を備えることを特徴とする。
【発明の効果】
【００１１】
本発明によれば、印刷物が放置されているシート収納部を簡単に判別できるようになる。
【図面の簡単な説明】
【００１２】
【図１】本発明の実施形態における印刷装置１００の断面図
【図２】本発明の実施形態におけるシート収納部の断面図
【図３】本発明の実施形態におけるシート収納部の斜視図
【図４】本発明の実施形態における印刷装置１００の外観斜視図
【図５】本発明の実施形態における印刷システムのハードウェアブロック図
【図６】本発明の実施形態における印刷装置１００の動作を示すフローチャート
【図７】本発明の実施形態における印刷装置１００に表示される画面例
【図８】本発明の実施形態における印刷装置１００の動作を示すフローチャート
【図９】本発明の実施形態における印刷装置１００の動作を示すフローチャート
【図１０】本発明の実施形態における印刷装置１００の動作を示すフローチャート
【発明を実施するための形態】
【００１３】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１４】
＜第１の実施形態＞
図１に、本発明が適用される印刷装置の一例としてのモノクロデジタルプリンタの断面図を示す。図１において、１００は印刷装置全体を示す。印刷装置１００には、印刷部１０１が備えられている。１０２は、印刷部１０１にシートを給送するシート給送部であり、１０３は、シートに画像を定着させる定着部である。１２４は、印刷装置１００の上面に設けられ、印刷部１０１によって画像が印刷されたシート（印刷物）を積載する積載部である。積載部１２４に排出された印刷物は、後述する取り出し指示を必要とせずにユーザが取り上げることができる。
【００１５】
２０１、２０２、２０３は、印刷部１０１によって画像が印刷されたシート（印刷物）を装置内に収納する３つのシート収納部であり、印刷部１０１と積載部１２４の間に設けられている。シート収納部２０１、２０２、２０３に収納された印刷物は、後述する取り出し指示が行われたことに応じて部分的に装置外に露出するように搬送され、ユーザが引き抜くことができる。なお、ここではシート収納部が３つ備えられている例を示すが、シート収納部の数はこれ以外の数であっても良い。
【００１６】
印刷部１０１は、図１中で時計回りに回転する感光体ドラム１１１と、露光装置１１３と、感光体ドラム１１１の回転方向に沿って配設された帯電ローラ１１２と、現像装置１１４と、転写ローラ１１５とを有している。これらの部材を用いて、印刷部１０１はシート上にトナー像を形成する。
【００１７】
シート給送部１０２は、印刷に用いられるシートが複数枚、積層状態で収納されている給紙カセット１０５、給紙ローラ１０７、搬送ガイド１０９、レジストレーションローラ１１０等を有している。定着部１０３は、定着ローラ１１６と、この定着ローラ１１６に下方から当接された加圧ローラ１１７と、搬送ローラ１１８とを有している。印刷部１０１と、定着部１０３と、給紙カセット１０５との間には、シートの表裏両面に画像を印刷する場合に使用されるシートの再搬送通路１２６が設けられている。
【００１８】
２０４は、第１のシート収納部２０１にシートを搬送するための搬送ローラである。同様に、２０５は第２のシート収納部２０２にシートを搬送するための搬送ローラであり、２０６は第３のシート収納部２０３にシートを搬送するための搬送ローラである。
【００１９】
１２０は、図１にて実線で示した第１の位置と、破線で示した第２の位置とに切替え可能な搬送路切り替え部材である。搬送路切り替え部材１２０は、図１中の実線の位置と破線の位置に不図示のアクチュエータによって切り替え可能な構成となっている。１２１および１２３は、正逆転可能に設けられ、正回転することでシートを積載部１２４に排出し、逆回転することでシートを再搬送通路１２６へ向けて搬送する反転ローラである。
【００２０】
シートを積載部１２４に向けて搬送する場合には、搬送路切り替え部材１２０が破線で示した位置に切り替えられ、シートは搬送ローラ１２１により排出ガイド１２２に沿って搬送され、反転ローラ１２３により、積載部１２４に排出される。
【００２１】
また、シートの両面に画像が印刷される場合には、一方の面（表面）にトナー像が定着されたシートが反転ローラ１２３に向かって搬送される。そして、シートの後端が分岐部１２７を抜けた後、搬送ローラ１２１および反転ローラ１２３を逆転させることで、シートはスイッチバックされ、再搬送通路１２６を通過して、印刷部１０１に再搬送される。
【００２２】
シートをシート収納部２０１、２０２、２０３に向けて搬送する場合には、搬送路切り替え部材１２０が実線で示した位置に切り替えられ、シートは搬送路１２８を通ってシート収納部２０１、２０２、２０３に搬送される。２１１と２１２は、それぞれシートが搬送される経路を切り替える第１の切り替え部材と第２の切り替え部材である。第１の切り替え部材２１１および第２の切り替え部材２１２は、図１中の実線の位置と破線の位置に不図示のアクチュエータによって切り替え可能な構成となっている。
【００２３】
第１のシート収納部２０１にシートを搬送する場合には、図１中の実線にて示された位置に第１の切り替え部材２１１と第２の切り替え部材２１２がそれぞれ切り替えられ、保持される。そして画像が印刷されたシートは、搬送路１２８、搬送ガイド２０７、２０８の順に通過し、さらに搬送ローラ２０４によって、第１のシート収納部２０１にフェイスダウン状態、即ちトナー像が印刷された面を下方に向けた状態で収納される。
【００２４】
第２のシート収納部２０２にシートを搬送する場合には、第１の切り替え部材２１１が図１中の実線にて示された位置に、第２の切り替え部材２１２が破線で示された位置にそれぞれ切り替えられ、保持される。そして画像が印刷されたシートは、搬送路１２８、搬送ガイド２０７、２０９の順に通過し、さらに搬送ローラ２０５によって、第２のシート収納部２０２にフェイスダウン状態、即ちトナー像が印刷された面を下方に向けた状態で収納される。
【００２５】
第３のシート収納部２０３にシートを搬送する場合には、第１の切り替え部材２１１が図１中の破線にて示された位置に切り替えられ、保持される。そして画像が印刷されたシートは、搬送路１２８、搬送ガイド２１０の順に通過し、さらに搬送ローラ２０６によって、第３のシート収納部２０３にフェイスダウン状態、即ちトナー像が印刷された面を下方に向けた状態で収納される。
【００２６】
シート収納部２０１、２０２、２０３に収納されたシートは、ユーザからの取り出し指示に応じて排出口２３４に搬送される。この搬送の詳細については図２及び図３を用いて後述する。排出口２３４に搬送されたシートは、部分的に装置外に露出した状態で保持され、ユーザによって引き抜かれるのを待つ。１０６は、排出口２３４に搬送されたシートがユーザによって引き抜かれたことを検知するための部材である。部材１０６は、シートが排出口２３４に搬送される前（及び、搬送されたシートをユーザが引き抜いた後）は図１中の実線の位置にあり、シートが排出口２３４に搬送されてユーザによる引き抜きを待っているときには破線の位置にある。なお、ここではシート収納部２０１、２０２、２０３に共通のものとして１つの排出口２３４を備える例を用いて説明したが、シート収納部毎に専用の排出口をそれぞれ備えるようにしても良い。
【００２７】
次に図２を用いて、シート収納部の詳細な構成について説明する。印刷装置１００は、複数のシート収納部２０１、２０２、２０３が上下に積み重ねられた状態で備えられている。それぞれのシート収納部の構成は同じであり、ここでは、第１のシート収納部２０１の構成について説明する。
【００２８】
搬送ローラ２０４により第１のシート収納部に搬送されたシートは、積載面２３１に一時的に積載されて収納される。不図示のシート有無検知手段により、積載面２３１上にシートが載置されているか否か（シート収納部が空いているか否か）が検知可能である。２３３は、収納されているシートの搬送方向上流端部（後端部）を押して、シートの搬送方向下流端部（先端部）の一部を排出口２３４から装置外に露出させる押し出し部材である。シートは、押し出し部材２３３により排出口２３４に押し出されることにより、ユーザが引き抜くことが可能となる。また、押し出し部材２３３によって装置外に露出する部分のシート長さは３０ｍｍであるものとするが、ユーザがシートを掴むことが可能であって、且つ、シートが自重で抜け落ちてしまわない長さであればこれに限らない。
【００２９】
印刷装置のシート収納部２０１、２０２、２０３には収納可能なシートの枚数やサイズに制限が設けられている。具体的には、１つのシート収納部には普通紙で一度に１５枚までしか収納できない。シート収納部におけるシートの満載は満載検知レバー２３５を用いて検知されるようになっており、普通紙よりも厚みのあるタイプのシートを用いる場合は収納可能な枚数が少なくなる場合がある。シート収納部が満載になると満載検知レバー２３５の傾きが変化し、その変化をフォトインタラプタで検知し、その検知結果を示す信号が後述する図５に示した制御部５０１に入力される。
【００３０】
押し出し部材２３３は、第１のシート収納部２０１にシートが収納される際には、シートの搬送及び積載を邪魔しない図２中にて実線で示される積載位置に位置している。一方、収納されているシートを押し出す際には、シート排出方向に沿って排出口２３４に向かって移動し、破線で示される押し出し位置（シート排出位置）へと移動する。その後、シートがユーザによって引き抜かれたことが部材１０６によって検知されると、押し出し部材２３３は積載位置に戻される。
【００３１】
図３（ａ）（ｂ）は、シート収納部２０１の斜視図である。図３（ａ）は、押し出し部材２３３が積載位置にある場合を示し、図３（ｂ）は押し出し位置にある場合を示す。押し出し部材２３３は、シート排出にともなうシートの回転を防止するため、シート幅方向にわたってふたつのシート後端押圧爪２３３ａおよび２３３ｂを有している。シートを押し出す際には、シート後端押圧爪２３３ａおよび２３３ｂがシートの上流端部を押圧してシート排出を行う。押し出し部材２３３は、積載位置と押し出し位置の間をシート排出方向に沿って往復移動する。
【００３２】
図４に、印刷装置１００の外観斜視図を示す。排出口２３４からは、シート収納部２０１、２０２、２０３のいずれかから排出されたシート束の下流端部が露出している。ユーザは、装置外に露出した下流端部を掴んでシート束を引き抜くことで自分の印刷物を受け取ることができる。３０７は、印刷装置１００に対するユーザからの指示を受け付けるとともに、ユーザに対して各種情報を通知するための画面を表示することが可能な操作表示部である。操作表示部３０７にはタッチパネル機能が備えられており、後述する制御部５０１は、タッチされた位置に応じてユーザからの指示の内容を判断する。
【００３３】
図５は、印刷装置１００のハードウェア構成図である。ＣＰＵ５０２を含む制御部５０１は、印刷装置１００全体の動作を制御する。ＣＰＵ５０２は、ＲＯＭ５０３に記憶された制御プログラムを読み出して、印刷動作やシート搬送の制御を行う。ＲＡＭ５０４は、ＣＰＵ５０２の主メモリ、ワークエリア等の一時記憶領域として用いられる。なお、印刷装置１００は１つのＣＰＵ５０２が１つのメモリ（ＲＡＭ５０４）を用いて後述するフローチャートに示す各処理を実行するものとするが、他の態様であっても構わない。例えば、複数のＣＰＵや複数のＲＡＭを協働させて各処理を実行するようにすることもできる。
【００３４】
操作表示部Ｉ／Ｆ５０５は、操作表示部３０７と制御部５０１を接続する。操作表示部３０７は、後述する印刷物の取り出し指示を受け付けるための受付部としての役割を担い、図８に示す画面を表示する。
【００３５】
印刷部Ｉ／Ｆ５０６は、印刷部１０１と制御部５０１を接続する。印刷部１０１で印刷すべき画像は印刷部Ｉ／Ｆ５０６を介して制御部５０１から転送され、印刷部１０１によりシート上に印刷される。
【００３６】
ネットワークＩ／Ｆ５０７は、印刷装置１００をＬＡＮ（Ｌｏｃａｌ  Ａｒｅａ  Ｎｅｔｗｏｒｋ）５１０に接続する。ＬＡＮ５１０にはクライアントＰＣ６２０が接続されており、クライアントＰＣ６２０にインストールされたプリンタドライバによって生成された印刷ジョブをネットワークＩ／Ｆ５０７が受信する。
【００３７】
図６は、クライアントＰＣ６２０から印刷ジョブを受信した場合における印刷装置１００の動作を説明するフローチャートである。図６のフローチャートに示す各動作（ステップ）は、印刷装置１００の制御部５０１がＲＯＭ５０３に記憶された制御プログラムを実行することにより実現される。なお、図６のフローチャートは常時実行される（開始から終了まで進んだ後、実質的な間を置かずに再び開始される）ものとする。
【００３８】
ステップＳ６０１では、印刷ジョブを受信したか否かを判定する。印刷ジョブを受信したと判定した場合はステップＳ６０２に進み、印刷ジョブを受信していないと判定した場合は処理を終了する。
【００３９】
ステップＳ６０２では、シート収納部を使用するか否か（受信した印刷ジョブにシート収納部を使用することが設定されているか否か）を判定する。シート収納部を使用すると判定した場合はステップＳ６０３に進み、シート収納部を使用しないと判定した場合はステップＳ６０９に進む。ステップＳ６０９では、印刷ジョブに基づく画像をシートに印刷し、続くステップＳ６１０では、印刷後のシートを積載部１２４に排出する。
【００４０】
ステップＳ６０３では、シート収納部に空きがあるか否かを判定する。ここでは、シート収納部２０１、２０２、２０３のうち、シートが１枚も収納されていないシート収納部があればシート収納部に空きがあると判定する。シート収納部に空きがあると判定した場合はステップＳ６０４に進み、シート収納部に空きがないと判定した場合はステップＳ６０８に進む。ステップＳ６０８では、受信した印刷ジョブをＲＡＭ５０４に保存して処理を終了する。
【００４１】
ステップＳ６０４では、印刷ジョブに基づく画像をシートに印刷し、続くステップＳ６０５では、印刷後のシートをシート収納部に収納する。このとき使用するシート収納部は、ステップＳ６０３で空きがあると判定されたシート収納部であり、複数のシート収納部が空いている場合は２０１、２０２、２０３の順に割り当てられた優先度に従って使用するシート収納部が決定される。
【００４２】
ステップＳ６０６では、シート収納部に収納されたシートの取り出し指示をユーザから受け付けるための取り出しキーを緑色で表示する。取り出しキーは、操作表示部３０７に表示される画面上に、各シート収納部に対応付けて表示される。
【００４３】
図７に、取り出し指示を受け付けるための画面例を示す。図７に示す画面は操作表示部３０７に表示される。図７（ａ）は、シート収納部２０１に［Ｔａｎａｋａ］という名前のユーザのシートが収納され、シート収納部２０２に［Ｓｕｚｕｋｉ］という名前のユーザのシートが収納されている状態に対応する。表示オブジェクト７０１には、ユーザの名称が表示される。なお、各ユーザの顔写真を予め登録しておいて、表示オブジェクト７０１内に対応するユーザの顔写真を表示するようにしても良い。
【００４４】
表示オブジェクト７０２には、各シート収納部にシートが収納された時点からの経過時間を示す情報が表示される。ここでは表示オブジェクト７０１及び７０２を合わせて取り出しキー（取り出し指示を受け付けるための操作キー）と呼ぶが、表示オブジェクト７０１のみをそう呼んでも構わない。ユーザは、取り出しキーを操作（押下）することによってシートの取り出しを指示することができる。表示オブジェクト７０３は、メニュー画面を表示させるための操作キーであり、操作（押下）されると図示しないメニュー画面が表示される。なお、シート収納部２０３には１枚もシートが収納されていないためシート収納部２０３に対応する取り出しキーは表示されない。
【００４５】
印刷装置１００は、シート収納部に収納したシートが放置されている場合（シートが取り出されないまま所定時間が経過した場合）に、取り出しキーの表示の形態を変更するように構成されている。具体的には、シート収納部にシートが収納されてから６０分が経過するまでは表示オブジェクト７０１及び７０２が緑色で表示されるが、６０分が経過すると赤色での表示に変更される。これによって、ユーザがシートの取り出しを指示するときに、シートが放置されているシート収納部があるか、或いは、シートが放置されているシート収納部がどれかを簡単に判別することができる。なお、ここでは表示オブジェクト７０１及び７０２の両方を赤色に変更するものとするが、表示オブジェクト７０１にユーザの顔写真が表示される場合は、表示オブジェクト７０２のみ変更するようにしても良い。
【００４６】
図７（ａ）に示した状態から、シート収納部２０３に［Ｓａｔｏｈ］という名前のユーザのシートが新たに収納されると、図７（ｂ）に示すように画面が更新される。ステップＳ６０７では、シート収納部にシートが収納されてからの経過時間をカウントするためのタイマーをスタートさせる。タイマーは、シート収納部２０１、２０２、２０３にそれぞれ対応付けて３つ備えられているものとするが、他の態様でも構わない。例えば、現在時刻を示す時計を１つ備え、シートが収納された時刻をシート収納部毎に記憶し、記憶された時刻と現在時刻の差分によって経過時間を判断するようにしても良い。
【００４７】
図８は、シート収納部に収納されたシートをユーザが取り出す場合における印刷装置１００の動作を説明するフローチャートである。図８のフローチャートに示す各動作（ステップ）は、印刷装置１００の制御部５０１がＲＯＭ５０３に記憶された制御プログラムを実行することにより実現される。なお、図８のフローチャートは常時実行される（開始から終了まで進んだ後、実質的な間を置かずに再び開始される）ものとする。
【００４８】
ステップＳ８０１では、ユーザからの取り出し指示があったか（図７に示す画面上で取り出しキーが操作されたか）を判定する。ユーザからの取り出し指示があったと判定した場合はステップＳ８０２に進み、ユーザからの取り出し指示がないと判定した場合は処理を終了する。
【００４９】
ステップＳ８０２は、操作された取り出しキーに対応するシート収納部に収納済みの印刷物を、押し出し部材２３３を用いて搬送し、排出口２３４から装置外に露出させる。ユーザは露出部分を掴んで引き抜くことによって印刷物を受け取ることができる。なお、取り出しキーが操作された後、ユーザＩＤやパスワードの入力を求め、予め記憶しているユーザ情報と照合することによってユーザを認証するようにしてもよい。この場合は、認証が成功したことに応じてシートが搬送される。ステップＳ８０３では、操作された取り出しキーを非表示にする（画面に表示しないようにする）。ステップＳ８０４では、タイマーをリセットする。ステップＳ８０４の後、ＲＡＭ５０４に保存した印刷ジョブがあるか否かを判定し、保存した印刷ジョブがある場合には、ステップＳ８０２で露出させたシートがユーザによって引き抜かれたことを条件に、ステップＳ６０４に進むようにしても良い。
【００５０】
図９は、シート収納部に収納されたシートが長時間放置された場合における印刷装置１００の動作を説明するフローチャートである。図９のフローチャートに示す各動作（ステップ）は、印刷装置１００の制御部５０１がＲＯＭ５０３に記憶された制御プログラムを実行することにより実現される。なお、図９のフローチャートは常時実行される（開始から終了まで進んだ後、実質的な間を置かずに再び開始される）ものとする。
【００５１】
ステップＳ９０１では、シート収納部を１つ選択する。ステップＳ９０２では、ステップＳ９０１で選択したシート収納部にシートが収納されているか否かを判定する。シートが収納されていると判定した場合はステップＳ９０３に進み、シートが収納されていないと判定した場合はステップＳ９０５に進む。
【００５２】
ステップＳ９０３では、シート収納部にシートが収納されてから所定時間が経過しているかを判定する。所定時間が経過していると判定した場合はステップＳ９０４に進み、所定時間が経過していないと判定した場合はステップＳ９０５に進む。ステップＳ９０４では、取り出しキーの表示の形態を緑色から赤色に変更する。
【００５３】
図７（ｃ）には、シート収納部２０１にシートが収納されてから取り出し指示がないまま６０分が経過した状態の画面を示す。図示するように［Ｔａｎａｋａ］という名前が表示された取り出しキーの色が赤色（図面上では黒の塗りつぶしで示す）に変更される。なお、他の２つの取り出しキーは６０分が経過していないため引き続き緑色で表示される。
【００５４】
ステップＳ９０５では、未処理のシート収納部があるか否かを判定し、未処理のシート収納部があると判定した場合はステップＳ９０１に戻り、未処理のシート収納部がないと判定した場合は処理を終了する。
【００５５】
以上説明したように、第１の実施形態では、シート収納部にシートを収納したことに応じて緑色に表示した取り出しキーを表示する。そして、シートが取り出されないまま所定時間が経過すると、取り出しキーの表示色が緑色から赤色に変更される。これにより、シートが放置されているシート収納部があるか、或いは、シートが放置されているシート収納部がどれかを簡単に判別することができる。なお、ここでは取り出しキーの表示色を緑色から赤色に変更することを例に説明したが、シートが放置されているシート収納部とシートが放置されていないシート収納部が区別可能であれば他の方法で表示の形態を変更するようにしても良い。例えば、取り出しキーとして用いられるアイコンの図柄を変更するようにしてもよいし、取り出しキーの大きさや表示位置を変更するようにしてもよい。
【００５６】
＜第２の実施形態＞
次に、本発明の第２の実施形態について説明する。第１の実施形態では、シート収納部を使用することが設定された印刷ジョブを受信した場合に、シート収納部に空きがなければ印刷を行わずに保存する例を説明した。これに対して第２の実施形態では、シート収納部に空きがない場合であっても受信した印刷ジョブに対応するユーザのシートが収納されているシート収納部があれば、そのシート収納部に追加でシートを収納するように構成した例を説明する。なお、以下では第１の実施形態と異なる点についてのみ説明し、それ以外の点については第１の実施形態と同様であるものとする。
【００５７】
図１０は、第１の実施形態の図６のフローチャートに対応するものであり、クライアントＰＣ６２０から印刷ジョブを受信した場合における印刷装置１００の動作を説明するフローチャートである。図１０のフローチャートに示す各動作（ステップ）は、印刷装置１００の制御部５０１がＲＯＭ５０３に記憶された制御プログラムを実行することにより実現される。
【００５８】
ステップＳ１００１では、印刷ジョブを受信したか否かを判定する。印刷ジョブを受信したと判定した場合はステップＳ１００２に進み、印刷ジョブを受信していないと判定した場合は処理を終了する。
【００５９】
ステップＳ１００２では、シート収納部を使用するか否か（受信した印刷ジョブにシート収納部を使用することが設定されているか否か）を判定する。シート収納部を使用すると判定した場合はステップＳ１００３に進み、シート収納部を使用しないと判定した場合はステップＳ１０１５に進む。ステップＳ１０１５では、印刷ジョブに基づく画像をシートに印刷し、続くステップＳ１０１６では、印刷後のシートを積載部１２４に排出する。
【００６０】
ステップＳ１００３では、シート収納部に空きがあるか否かを判定する。ここでは、シート収納部２０１、２０２、２０３のうち、シートが１枚も収納されていないシート収納部があればシート収納部に空きがあると判定する。シート収納部に空きがあると判定した場合はステップＳ１００４に進み、シート収納部に空きがないと判定した場合はステップＳ１００８に進む。
【００６１】
ステップＳ１００８では、受信した印刷ジョブに対応するユーザと同一のユーザによって使用されているシート収納部があるか否かを判定する。同一のユーザによって使用されているシート収納部があると判定した場合はステップＳ１００９に進み、同一のユーザによって使用されているシート収納部がないと判定した場合はステップＳ１０１４に進む。ステップＳ１０１４では、受信した印刷ジョブをＲＡＭ５０４に保存して処理を終了する。
【００６２】
ステップＳ１００４では、印刷ジョブに基づく画像をシートに印刷し、続くステップＳ１００５では、印刷後のシートをシート収納部に収納する。このとき使用するシート収納部は、ステップＳ１００３で空きがあると判定されたシート収納部であり、複数のシート収納部が空いている場合は２０１、２０２、２０３の順に割り当てられた優先度に従って使用するシート収納部が決定される。
【００６３】
ステップＳ１００６では、シート収納部に収納されたシートの取り出し指示をユーザから受け付けるための取り出しキーを緑色で表示する。
【００６４】
ステップＳ１００７では、シート収納部にシートが収納されてからの経過時間をカウントするためのタイマーをスタートさせる。タイマーは、シート収納部２０１、２０２、２０３にそれぞれ対応付けて３つ備えられているものとするが、他の態様でも構わない。例えば、現在時刻を示す時計を１つ備え、シートが収納された時刻をシート収納部毎に記憶し、記憶された時刻と現在時刻の差分によって経過時間を判断するようにしても良い。
【００６５】
ステップＳ１００９では、印刷ジョブに基づく画像をシートに印刷し、続くステップＳ１０１０では、印刷後のシートをシート収納部に収納する。このとき使用するシート収納部は、ステップＳ１００８で同一ユーザが使用していると判定されたシート収納部であり、複数のシート収納部が該当する場合は２０１、２０２、２０３の順に割り当てられた優先度に従って使用するシート収納部が決定される。
【００６６】
ステップＳ１０１１では、ステップＳ１０１０でシートを収納したシート収納部に対応する取り出しキーが現在赤色で表示されているか否か（シートが収納されてから所定時間が経過しているか否か）を判定する。取り出しキーが現在赤色で表示されていると判定した場合はステップＳ１０１２に進み、取り出しキーが現在赤色で表示されていないと判定した場合はステップＳ１０１３に進む。ステップＳ１０１２では、取り出しキーの表示の形態を緑色に変更する。ステップＳ１０１３では、タイマーをリセットするとともに再度スタートさせる。
【００６７】
なお、ステップＳ１０１１乃至１０１３の処理を行うか否かを予め設定できるようにしても良い。ステップＳ１０１１乃至１０１３の処理を行わないことが設定されると、ステップＳ１０１０で新たなシートが追加で収納されたとしても、最初にシートが収納された時点からカウントされている経過時間はリセットされない。従って、最初にシートが収納された時点から所定時間を経過している場合は取り出しキーが引き続き赤色で表示されることになる。
【００６８】
以上説明したように、第２の実施形態では、シート収納部に空きがない場合であっても受信した印刷ジョブに対応するユーザのシートが収納されているシート収納部があれば、そのシート収納部に追加でシートを収納するようにしている。また、シート収納部への追加のシート収納があった場合には経過時間のカウントがリセットされ、赤色で表示されている取り出しキーは元の緑色の表示に変更される。
【００６９】
＜他の実施形態＞
本発明の目的は、以下の処理を実行することによっても達成される。即ち、上述した実施形態の機能を実現するソフトウェアのプログラムコードを記録した記憶媒体をシステム或いは装置に供給し、そのシステム或いは装置のコンピュータ（またはＣＰＵやＭＰＵ等）が記憶媒体に格納されたプログラムコードを読み出す処理である。
【００７０】
この場合、記憶媒体から読み出されたプログラムコード自体が前述した実施の形態の機能を実現することになり、そのプログラムコード及び該プログラムコードを記憶した記憶媒体は本発明を構成することになる。
【符号の説明】
【００７１】
１００  印刷装置
１０１  印刷部
２０１、２０２、２０３  シート収納部
１２３  反転ローラ
１２４  積載部
【図１】
2015229335.tif 000003
【図２】
2015229335.tif 000004
【図３】
2015229335.tif 000005
【図４】
2015229335.tif 000006
【図５】
2015229335.tif 000007
【図６】
2015229335.tif 000008
【図７】
2015229335.tif 000009
【図８】
2015229335.tif 000010
【図９】
2015229335.tif 000011
【図１０】
2015229335.tif 000012